(57)【特許請求の範囲】
【請求項１】
運転席部と、前記運転席部から後方へと延在する架台と、前記架台上に設けた検査ユニットとを備え、前記検査ユニット内において被検者に対する保安検査を行う移動式検査用車両において、
前記検査ユニットは、その内部に保安検査を行うための複数種類の検査機器を配置した空間を有するコンテナ状で且つ直方体状のユニットで、該検査ユニットの背面を構成する壁面に前記被検者の入口を備えるとともにその両側面にそれぞれ出口を備え、
前記空間内の前記複数種類の検査機器は、
前記被検者の荷物開披検査に用いる荷物検査台と、
前記被検者の荷物に爆発物が含まれているか否かを検査する爆発物検査装置と、
前記被検者が危険物を所持しているか否かを検査する危険物所持検査装置と、
を含み、
また前記検査ユニットは、前記検査機器のいずれかに電力を供給する発電機を有し、
前記入口から前記出口までに至る前記被検者の検査動線が前記直方体状の検査ユニットの長手方向に沿って一方向のみになるように前記荷物検査台、前記爆発物検査装置及び前記危険物所持検査装置が配置され、さらに該荷物検査台の内部に前記検査ユニットの外部から前記発電機を出し入れ自在な空間を設けていることを特徴とする移動式検査用車両。
【請求項２】
請求項１記載の移動式検査用車両において、
前記発電機は、可搬型の発電機であることを特徴とする移動式検査用車両。
【請求項３】
請求項２記載の移動式検査用車両において、
前記検査ユニットは、前記検査機器の電力供給源として、前記発電機と前記移動式検査用車両の車両動力とを切り替え可能にし、
前記爆発物検査装置及び前記危険物所持検査装置の底面に防振素材を設置することを特徴とする移動式検査用車両。
【請求項４】
請求項１〜３のいずれか１項に記載の移動式検査用車両において、
前記検査ユニットは、被検車両の下部を撮影して被検車両下部画像を生成する、可搬型の被検車両下部監視カメラを備えることを特徴とする移動式検査用車両。
【請求項５】
請求項４記載の移動式検査用車両において、
前記被検車両下部監視カメラは、前記検査ユニットの左右の側面に備えられた一組のジョイントボックスのいずれか一方と接続して、前記ジョイントボックスを介して電力供給を受けると共に、前記被検車両下部画像を出力可能となることを特徴とする移動式検査用車両。
【請求項６】
請求項４又は５記載の移動式検査用車両において、
前記検査ユニットは、前記被検車両下部監視カメラを収納可能なカメラ収納部を備え、
前記カメラ収納部は、前記被検車両下部監視カメラを前記移動式検査用車両の外部から取り出し及び収納できるように構成されることを特徴とする移動式検査用車両。
【請求項７】
請求項４〜６のいずれか１項に記載の移動式検査用車両において、
前記検査ユニットは、監視用コンピュータを備え、
前記監視用コンピュータは、前記被検車両下部監視カメラと共に車両下部監視システムとして機能することを特徴とする移動式検査用車両。
【請求項８】
請求項１〜７のいずれか１項に記載の移動式検査用車両において、
前記検査ユニットは、該検査ユニット内で行われる車内検査の状況を撮影して車内検査状況画像を生成する車内検査記録用カメラを、該検査ユニットの内部に備えることを特徴とする移動式検査用車両。
【請求項９】
請求項１〜８のいずれか１項に記載の移動式検査用車両において、
前記検査ユニットは、該検査ユニットの外部で行われる車外検査の状況を撮影して車外検査状況画像を生成する、可搬型の車外検査記録用カメラを備えることを特徴とする移動式検査用車両。
【請求項１０】
請求項１〜９のいずれか１項に記載の移動式検査用車両において、
前記検査ユニットは、所定の通信網を介して遠隔地の監視センターに所定の画像を送る遠隔監視システムとして機能することを特徴とする移動式検査用車両。
【請求項１１】
請求項１〜１０のいずれか１項に記載の移動式検査用車両において、
前記検査ユニットは、液体物検査装置を備えることを特徴とする移動式検査用車両。
【請求項１２】
請求項１〜１１のいずれか１項に記載の移動式検査用車両において、
前記検査ユニットは、Ｘ線検査装置を備えることを特徴とする移動式検査用車両。
【請求項１３】
運転席部と、前記運転席部から後方へと延在する架台と、前記架台上に設けた検査ユニットとを備えた移動式検査用車両を用いて、前記検査ユニット内において被検者に対する保安検査を行う検査方法において、
前記検査ユニットは、その内部に保安検査を行うための複数種類の検査機器を配置した空間を有するコンテナ状で且つ直方体状のユニットで、該検査ユニットの背面を構成する壁面に前記被検者の入口を備えるとともにその両側面にそれぞれ出口を備えるものであり、
前記保安検査を行う場所又は施設へと前記移動式検査用車両を移動させる移動工程と、
前記入口から、前記被検者を前記検査ユニット内へと導く入室工程と、
前記検査ユニット内に設けられた前記検査機器の一つである荷物検査台を用いて、前記被検者の荷物開披検査を行う荷物開披検査工程と、
前記検査ユニット内に設けられた前記検査機器の一つである爆発物検査装置を用いて、前記被検者の荷物に爆発物が含まれているか否かを検査する爆発物検査工程と、
前記検査ユニット内に設けられた前記検査機器の一つである危険物所持検査装置を用いて、前記被検者が危険物を所持しているか否かを検査する危険物所持検査工程と、
前記いずれかの出口から、前記被検者を前記検査ユニット外へと導く退室工程と、
を備え、
前記入室工程、前記荷物開披検査工程、前記爆発物検査工程、前記危険物所持検査工程及び前記退室工程からなる一連の工程を、前記被検者の検査動線が前記直方体状の検査ユニットの長手方向に沿って一方向のみにして行うことを特徴とする検査方法。
【請求項１４】
請求項１３記載の検査方法において、
前記検査機器の電力供給源としての発電機は、前記検査ユニットに備えられた可搬型の発電機であることを特徴とする検査方法。
【請求項１５】
請求項１３又は１４記載の検査方法において、
前記検査ユニットに備えられた可搬型の被検車両下部監視カメラを用いて、被検車両の下部を撮影して被検車両下部画像を生成し、前記被検車両下部画像に基づいて前記被検車両の下部を監視する被検車両下部監視工程を備えることを特徴とする検査方法。
【請求項１６】
請求項１５に記載の検査方法において、
前記被検車両下部監視工程は、前記被検車両下部監視カメラと、前記検査ユニットに備えられた監視用コンピュータとを利用する車両下部監視システムによって行われることを特徴とする検査方法。
【請求項１７】
請求項１３〜１６のいずれか１項に記載の検査方法において、
前記検査ユニットの内部に備えられた車内検査記録用カメラを用いて、前記検査ユニット内で行われる車内検査の状況を撮影して車内検査状況画像を生成し、前記車内検査状況画像に基づいて車内検査の状況を監視する車内検査状況監視工程を備えることを特徴とする検査方法。
【請求項１８】
請求項１３〜１７のいずれか１項に記載の検査方法において、
可搬型の車外検査記録用カメラを用いて、前記検査ユニットの外部で行われる車外検査の状況を撮影して車外検査状況画像を生成し、前記車外検査状況画像に基づいて車外検査の状況を監視する車外検査状況監視工程を備えることを特徴とする検査方法。
【請求項１９】
請求項１３〜１８のいずれか１項に記載の検査方法において、
前記検査ユニットから所定の通信網を介して遠隔地の監視センターに所定の画像を送ることで遠隔監視システムによる監視が行われることを特徴とする検査方法。
【発明の詳細な説明】
【技術分野】
【０００１】
本発明は、入場制限区域への入場者及び入場車両に対する保安検査に用いられる移動式検査用車両及び検査方法に関する。
【背景技術】
【０００２】
従来から、保安のために入場者及び入場車両を検査すべき入場制限区域が設けられている場所又は施設では、様々な検査機器及び検査手法が採用され、入場者及び入場車両に対する保安検査として、例えば、不審であるか否かの検査や、入場許可できるか否かの検査、不審物を所持又は搭載しているか否かの検査等のスクリーニング検査が行われている。
【０００３】
例えば、高度な保安検査が恒常的に要求される空港保安検査場等の場所では、その建物内に検査エリアを設け、該検査エリアにおいて入場者に対して検査員による身分確認や、手荷物Ｘ線検査装置及び金属探知機等の検査機器による入場検査を実施している。
【０００４】
また、重要国際会議等の開催場所では、テント等を設置することで臨時に検査スペースを設け、該検査スペースにおいて入場者に対して検査員により身分確認や検査機器による入場検査を実施し、また、入場車両に対して検査員の目視により車両トランク開披検査や車両下部検索ミラーを用いた車両下部検査を実施している。このような検査員の目視及び判断による入場者及び入場車両に対する保安検査は、敷地入口やゲ―ト付近で入場検査を要する他の場所においても実施されている。
【０００５】
さらに、輸出入物品における不正物品の有無を検査するために、検査対象物をＸ線で検査するＸ線検査装置を車両に配置して、この車両が検査場所に赴き、車両内で荷物検査を行うＸ線検査車両が実用化されている（例えば、特許文献１参照）。
【先行技術文献】
【特許文献】
【０００６】
【特許文献１】特開２０１０−２４３１６９号公報
【発明の概要】
【発明が解決しようとする課題】
【０００７】
ところで、入場者及び入場車両を検査すべき入場制限区域が設けられている場所又は施設、例えば、常に入場を制限する空港、政府庁舎及び重要防護施設や、臨時に入場を制限する重要国際会議の開催施設及びＶＩＰ等の重要人物の宿泊施設等において、入場者及び入場車両に対する保安検査の強化が求められることがある。
【０００８】
また、近年、航空機や重要施設等を狙ったテロリズムの脅威が高まっており、このようなテロリズムを防止するために、その場所又は施設への入場者及び入場車両に対する高度な保安検査が要求されている。
【０００９】
高度な保安検査を恒常的に実施している場所又は施設にて、保安検査の強化が求められたり、検査機器に故障が生じたりした場合や、高度な保安検査を実施していない場所又は施設にて、緊急で検査を行う必要がある場合には、即座に検査体制を整えなければならない。
【００１０】
しかしながら、検査体制を整えるためには、検査スペースの確保、検査機器の設置、並びに検査手法及び手順を検討しなくてはならず、検査体制を整えるまでに時間を要する上に、検査スペース及びそのスペースで可能な検査手法が制限されるという問題があった。
【００１１】
さらに、上述した特許文献１のＸ線検査車両は、荷物の検査を行うものに過ぎず、入場者及び入場車両に対して、保安を目的とした十分な検査を行うことができない。
【００１２】
本発明は、前記の課題を考慮してなされたものであり、任意の場所へ移動可能とすることで、検査体制を整えるまでの時間を短縮すると共に、検査手法を制限することなく高度な保安検査を実施することが可能な移動式検査用車両及び検査方法を提供することを目的とする。
【課題を解決するための手段】
【００１３】
前記の目的を達成するために、本発明は、運転席部と、前記運転席部から後方へと延在する架台と、前記架台上に設けた検査ユニットとを備え、前記検査ユニット内において被検者に対する保安検査を行う移動式検査用車両において、
前記検査ユニットは、その内部に保安検査を行うための複数種類の検査機器を配置した空間を有するコンテナ状で且つ直方体状のユニットで、該検査ユニットの背面を構成する壁面に前記被検者の入口を備えるとともにその両側面にそれぞれ出口を備え、
前記空間内の前記複数種類の検査機器は、
前記被検者の荷物開披検査に用いる荷物検査台と、
前記被検者の荷物に爆発物が含まれているか否かを検査する爆発物検査装置と、
前記被検者が危険物を所持しているか否かを検査する危険物所持検査装置と、
を含み、
また前記検査ユニットは、前記検査機器のいずれかに電力を供給する発電機を有し、
前記入口から前記出口までに至る前記被検者の検査動線が前記直方体状の検査ユニットの長手方向に沿って一方向のみになるように前記荷物検査台、前記爆発物検査装置及び前記危険物所持検査装置が配置され、さらに該荷物検査台の内部に前記検査ユニットの外部から前記発電機を出し入れ自在な空間を設けていることを特徴とする。
【００１４】
本発明によれば、移動式検査用車両は、入場者及び入場車両に対して保安検査を行う所望の場所まで移動することができ、荷物検査台、爆発物検査装置及び危険物所持検査装置等の検査機器が、検査ユニット内において被検者の検査動線を一方向のみにするように配置されている。
【００１５】
従って、この移動式検査用車両を１台用意すれば、車両到着後、速やかに入場者及び入場車両に対する高度な保安検査が実施可能な状態となるので、検査体制の準備に要する時間を短縮し、検査手法を制限することなく適切な検査体制を整えると共に、高度な保安検査を実施することができ、すなわち、検査精度及び検査効率を向上させることができる。また、この移動式検査用車両は、建物内に検査スペースを確保できない既存の場所又は施設でも、その建物外で即座に高度な保安検査体制を整えることができる。
【００１６】
また、移動式検査用車両は、保安検査を行う場所又は施設に応じていずれか一方の出口ドアを選択することで所望の検査動線を確保することができ、すなわち、検査動線の確保時に支障が生じない。
【００１７】
さらに、発電機は、可搬型の発電機であるとよい。これにより、車両動力による発電のために車両のエンジンを作動させる必要がなく、エンジンの振動が検査ユニット内の検査機器に対して与える影響を回避することができる。
【００１８】
さらにまた、検査ユニットは、検査機器の電力供給源として、発電機と移動式検査用車両の車両動力とを切り替え可能にし、爆発物検査装置及び危険物所持検査装置の底面に防振素材を設置するとよい。これにより、発電機からの電力供給不能等の緊急時においても、車両動力を使用することにより検査体制を維持することができる。
【００２０】
また、検査ユニットは、被検車両の下部を撮影して被検車両下部画像を生成する、可搬型の被検車両下部監視カメラを備えるとよい。
【００２１】
さらに、被検車両下部監視カメラは、検査ユニットの左右の側面に備えられた一組のジョイントボックスのいずれか一方と接続し、ジョイントボックスを介して電力供給を受けると共に、被検車両下部画像を出力可能にするとよい。これにより、移動式検査用車両の左右のいずれにおいても被検車両下部監視カメラを容易に配置することができ、すなわち、移動式検査用車両の左右のいずれにおいても車外検査のためのスペースを容易に確保することができる。
【００２２】
さらにまた、検査ユニットは、被検車両下部監視カメラを収納可能なカメラ収納部を備え、カメラ収納部は、被検車両下部監視カメラを移動式検査用車両の外部から取り出し及び収納できるように構成されるとよい。
【００２３】
またさらに、検査ユニットは、監視用コンピュータを備え、監視用コンピュータは、被検車両下部監視カメラと共に車両下部監視システムとして機能するとよい。
【００２４】
また、検査ユニットは、該検査ユニット内で行われる車内検査の状況を撮影して車内検査状況画像を生成する車内検査記録用カメラを、該検査ユニットの内部に備えるとよい。
【００２５】
さらに、検査ユニットは、該検査ユニットの外部で行われる車外検査の状況を撮影して車外検査状況画像を生成する、可搬型の車外検査記録用カメラを備えるとよい。
【００２６】
さらにまた、検査ユニットは、所定の通信網を介して遠隔地の監視センターに所定の画像を送る遠隔監視システムとして機能するとよい。
【００２７】
またさらに、検査ユニットは、液体物検査装置を備えるとよい。
【００２８】
また、検査ユニットは、Ｘ線検査装置を備えるとよい。
【００２９】
さらに、本発明は、運転席部と、前記運転席部から後方へと延在する架台と、前記架台上に設けた検査ユニットとを備えた移動式検査用車両を用いて、前記検査ユニット内において被検者に対する保安検査を行う検査方法において、
前記検査ユニットは、その内部に保安検査を行うための複数種類の検査機器を配置した空間を有するコンテナ状で且つ直方体状のユニットで、該検査ユニットの背面を構成する壁面に前記被検者の入口を備えるとともにその両側面にそれぞれ出口を備えるものであり、
前記保安検査を行う場所又は施設へと前記移動式検査用車両を移動させる移動工程と、
前記入口から、前記被検者を前記検査ユニット内へと導く入室工程と、
前記検査ユニット内に設けられた前記検査機器の一つである荷物検査台を用いて、前記被検者の荷物開披検査を行う荷物開披検査工程と、
前記検査ユニット内に設けられた前記検査機器の一つである爆発物検査装置を用いて、前記被検者の荷物に爆発物が含まれているか否かを検査する爆発物検査工程と、
前記検査ユニット内に設けられた前記検査機器の一つである危険物所持検査装置を用いて、前記被検者が危険物を所持しているか否かを検査する危険物所持検査工程と、
前記いずれかの出口から、前記被検者を前記検査ユニット外へと導く退室工程と、
を備え、
前記入室工程、前記荷物開披検査工程、前記爆発物検査工程、前記危険物所持検査工程及び前記退室工程からなる一連の工程を、前記被検者の検査動線が前記直方体状の検査ユニットの長手方向に沿って一方向のみにして行うことを特徴とする。
【００３０】
本発明によれば、入場者及び入場車両に対する保安検査を行う場所又は施設まで移動式検査用車両を移動させ、荷物検査台、爆発物検査装置及び危険物所持検査装置等の検査機器を用いた保安検査を、検査ユニット内において被検者の検査動線を一方向のみにするように行う。
【００３１】
従って、この検査方法では、移動式検査用車両を１台用意すれば、車両到着後、速やかに入場者及び入場車両に対する高度な保安検査が実施可能な状態となるので、検査体制の準備に要する時間を短縮し、検査手法を制限することなく適切な検査体制を整えると共に、高度な保安検査を実施することができ、すなわち、検査精度及び検査効率を向上させることができる。
【００３２】
さらにまた、検査機器の電力供給源としてしての発電機は、検査ユニットに備えられた可搬型の発電機であるとよい。これにより、車両動力による発電のために移動式検査用車両のエンジンを作動させる必要がなく、エンジンの振動が検査ユニット内の検査機器に対して与える影響を回避することができる。
【００３３】
またさらに、検査ユニットに備えられた可搬型の被検車両下部監視カメラを用いて、被検車両の下部を撮影して被検車両下部画像を生成し、被検車両下部画像に基づいて被検車両の下部を監視する被検車両下部監視工程を備えるとよい。
【００３４】
また、前記被検車両下部監視工程は、被検車両下部監視カメラと、検査ユニットに備えられた監視用コンピュータとを利用する車両下部監視システムによって行われるとよい。
【００３５】
さらに、検査ユニットの内部に備えられた車内検査記録用カメラを用いて、検査ユニット内で行われる車内検査の状況を撮影して車内検査状況画像を生成し、車内検査状況画像に基づいて車内検査の状況を監視するとよい。
【００３６】
さらにまた、可搬型の車外検査記録用カメラを用いて、検査ユニットの外部で行われる車外検査の状況を撮影して車外検査状況画像を生成し、車外検査状況画像に基づいて車外検査の状況を監視する車外検査状況監視工程を備えるとよい。
【００３７】
またさらに、前記検査ユニットから所定の通信網を介して遠隔地の監視センターに所定の画像を送ることで遠隔監視システムによる監視が行われるとよい。
【発明の効果】
【００３８】
本発明によれば、以下の効果が得られる。
【００３９】
すなわち、荷物検査台、爆発物検査装置及び危険物所持検査装置等の検査機器を、検査ユニット内において、入口から出口までに至る被検者の検査動線が一方向のみになるように配置しているので、移動式検査用車両の到着後、速やかに入場者及び入場車両に対する高度な保安検査が実施可能な状態となり、検査体制の準備に要する時間を短縮し、また、検査手法を制限することなく、入場者及び入場車両に対して高度な保安検査（例えば、空港と同レベルの検査）を実施することができ、例えば、検査員は爆発物、ピストル及び刃物等の不審物の持ち込みを的確に検知することができる。
【００４０】
また、入場者及び入場車両の保安検査を所望する場所まで移動式検査用車両を移動することができるので、建物内に検査スペースを確保できない既存の場所又は施設においても、建物外で即座に高度な保安検査体制を整えることができる。
【００４１】
さらに、検査ユニットでは、入場者に対する保安検査における検査動線及び検査手法を考慮して、例えば、被検者が逆流しない直線的な検査動線が得られるように、検査機器が予め適切な配置で設置されているので、車両到着後、速やかに入場者及び入場車両に対する保安検査体制を整えることができる。
【図面の簡単な説明】
【００４２】
【図１】本発明の実施の形態に係る移動式検査用車両の概略構成を示す斜視図である。
【図２】図１に示す移動式検査用車両の使用状態を説明するための平面図である。
【図３】図１に示す移動式検査用車両の左側面図である。
【図４】図１に示す移動式検査用車両の右側面図である。
【発明を実施するための形態】
【００４３】
本発明に係る移動式検査用車両及び検査方法について好適な実施の形態を挙げ、添付の図面を参照しながら以下詳細に説明する。
【００４４】
図１〜図４において、参照符号１０は、本発明の実施の形態に係る検査方法を実施する移動式検査用車両を示す。
【００４５】
この移動式検査用車両１０は、例えば、常に入場を制限する空港、政府庁舎及び重要防護施設や、臨時に入場を制限する重要国際会議の開催施設及びＶＩＰ等の重要人物の宿泊施設等の入場制限区域の保安のために、該入場制限区域への入場者及び入場車両をそれぞれ被検者Ａ（図１参照）及び被検車両Ｂ（図１参照）として検査するのに用いられ、１台で被検者Ａ及び被検車両Ｂに対する保安検査を行うための検査機器を搭載したものである。
【００４６】
移動式検査用車両１０は、図１〜図４に示されるように、該移動式検査用車両１０の進行方向を前方（矢印Ｃ方向）として、該移動式検査用車両１０の前部に運転席部１２を備え、該運転席部１２から該移動式検査用車両１０の後方（矢印Ｄ方向）へと延在する架台１４を備えると共に、運転席部１２の下方及び架台１４の後部の下方のそれぞれにタイヤ１３及び１５を設けていて、架台１４上に、検査機器を備えた検査ユニット１６を載置して構成される。なお、この移動式検査用車両１０は、例えば、既存のコンテナ付トラック等の車両を改造し、そのコンテナ部分を検査ユニット１６として改良してもよいし、又は検査ユニット１６に置き換えたものでもよい。
【００４７】
また、移動式検査用車両１０は、運転席部１２及び架台１４の下方であって、タイヤ１３及び１５の付近、又は架台１４若しくは検査ユニット１６の前部及び後部付近において、移動式検査用車両１０を上昇させ、且つ、支持可能な防振用アウトリガー１８を備える。
【００４８】
なお、移動式検査用車両１０は、運転することにより、入場制限を実施する場所又は施設へと移動することができるもので、例えば、普通自動車免許を有する者が運転できる車両総重量５ｔ未満のものが望ましいが、特にこれに限定されず、中型自動車、大型自動車又は牽引自動車を利用したものでもよい。
【００４９】
また、移動式検査用車両１０は、入場制限を実施する場所又は施設において入場制限区域を定める境界の外側に駐車して設置され、例えば、入場制限区域の近辺、且つ、外部に設けられる検査スペースに設置される。
【００５０】
次に、検査ユニット１６の構成について詳細に説明する。
【００５１】
検査ユニット１６は、運転席部１２から独立したもので、架台１４に対して固定されてもよく、他のコンテナと交換できるように架台１４から脱着可能であってもよい。
【００５２】
この検査ユニット１６は、例えば、前後左右の四方に壁面（少なくとも左側面１６ａ、右側面１６ｂ及び背面１６ｃを含む）を有し内部空間を形成したコンテナ状のユニットからなり、検査ユニット１６の内部空間は、運転席部１２から独立したクリーンなエリアであり、被検者Ａ及び該被検者Ａの荷物を検査できる検査室６６となる。
【００５３】
また、検査ユニット１６には、人間が入退室する出入り口を該検査ユニット１６において移動式検査用車両１０の進行方向Ｃと直交した一方の側及び他方の側の壁面に設けて、被検者Ａの検査動線を一方向だけにするように、すなわち、被検者Ａを一方向のみに移動させて検査できるように構成される。例えば、背面１６ｃに入口ドア（入口）２０を設けると共に、左右の側面１６ａ及び１６ｂの前方付近に出口ドア（出口）２２及び２４を設ける。左右の出口ドア２２及び２４は、検査実行時には一方のみが開放され、他方は閉鎖される。
【００５４】
さらに、検査ユニット１６は、被検者Ａの便宜のために、入口ドア２０の付近に引出階段５２及び電動天幕５４を備え、出口ドア２２及び２４のそれぞれの付近に引出階段５６及び電動天幕５８を備える。引出階段５２及び５６は、非使用時には、検査ユニット１６内に収納され、使用時に引き出されるものであり、例えば、折り畳まれて収納されるものでもよく、また、箱型のものでもよい。
【００５５】
検査ユニット１６の内部には、検査ユニット１６内で行われる検査（以下、車内検査ともいう）に使用される車内検査用機器６８として荷物検査台２６、爆発物検査装置２８及び危険物所持検査装置３０を有する。これらの車内検査用機器６８は、検査ユニット１６の入口（入口ドア２０）から出口（出口ドア２２）までに至る被検者Ａの検査動線が一方向のみになるように検査ユニット１６内において順次配置される。
【００５６】
さらに、検査ユニット１６は、検査ユニット１６の外部で行われる検査（以下、車外検査ともいう）に使用される車外検査用機器７０として被検車両下部監視カメラ３２を備え、さらに車内検査及び車外検査の状況をそれぞれ記録する車内検査記録用カメラ３４及び車外検査記録用カメラ３６を有する。
【００５７】
また、検査ユニット１６は、荷物検査台２６等の各検査機器及び被検車両下部監視カメラ３２等の各カメラの作動電力を供給する発電機３８と、また各カメラによる撮影結果に基づく監視を行う監視用コンピュータ４０とを有する。なお、検査ユニット１６には、発電機３８と接続可能な配電盤（図示せず）を設けるとよく、前記発電機３８と接続した該配電盤は、前記発電機３８で発電された電力を各部に供給可能となる。
【００５８】
さらに、検査ユニット１６は、その上面に電光掲示板６０を備え、例えば、検査が行われている場合に、「検査実施中」と表示することにより、移動式検査用車両１０が駐車している施設又は場所において、入場制限が行われていて入場者及び入場車両に対する検査が行われていることを周囲に知らせることができる。
【００５９】
なお、検査ユニット１６は、図示しないが、車内検査及び車外検査に向けて照明光を照射する照明設備や、検査ユニット１６内部の温度を調整する空調設備を備えて、検査環境を好適にすることもできる。これらの照明設備及び空調設備は、配電盤を介して発電機３８から電力供給を受ける。
【００６０】
荷物検査台２６は、被検者Ａの荷物の開披検査を行うために用いられる長形の台であり、例えば、荷物をトレイに載せて検査ユニット１６の後方（矢印Ｄ方向）から前方（矢印Ｃ方向）へと搬送するベルトコンベア等の搬送機器をその上面に備えて構成される。
【００６１】
また、荷物検査台２６は、検査ユニット１６の内部における一方の側、例えば、右側面１６ｂに沿って、検査ユニット１６の後方（矢印Ｄ方向）から前方（矢印Ｃ方向）に向かって延在するように配置され、検査ユニット１６の床面に対して固定される。さらに、荷物検査台２６は、図２及び図４に示されるように、その内部に空間を備え、発電機３８を収納するための発電機収納部４２を設けて構成される。
【００６２】
発電機収納部４２は、移動式検査用車両１０の外部に向かって開口し、この開口部に対して移動式検査用車両１０の外部から開閉可能な蓋部材を備え、該蓋部材を開閉することにより、発電機３８の取り出し及び収納が移動式検査用車両１０の外部から可能となる。
【００６３】
爆発物検査装置２８は、例えば、被検者Ａの荷物に爆発物が含まれているか否かを検査可能な、ふき取り式爆発物検査装置（ＥＴＤ）等が用いられ、荷物検査台２６上で、且つ、入口ドア２０付近に配置される。また、爆発物検査装置２８は、荷物検査台２６から独立した装置であり、該荷物検査台２６に対して脱着可能に構成されてもよいが、移動式検査用車両１０の移動や該爆発物検査装置２８の使用に即して荷物検査台２６に対して固定されてもよい。
【００６４】
危険物所持検査装置３０は、例えば、被検者Ａが通過可能な門型等の形状を有し、内部を通過する被検者Ａが金属物や爆発物等の危険物を所持しているか否かを検査する門型金属探知機等の機器であり、検査ユニット１６の前後方向（矢印Ｃ、Ｄ方向）に開口するように検査ユニット１６の床面のほぼ中央に配置される。この危険物所持検査装置３０は、検査開始時間を短縮するために、常時据え置き型の機器とし、移動式検査用車両１０の移動時における転倒防止のために、その下部に設けられたアンカーで検査ユニット１６の床面に固定されると共に、その上部に設けられた固定ベルトで前記検査ユニット１６の天井面に固定される。なお、検査ユニット１６の天井面の高さは、危険物所持検査装置３０が前記天井面によって干渉されないように、全体的又は部分的に高くすることが望ましい。
【００６５】
被検車両下部監視カメラ３２は、被検車両Ｂの下部の監視を目的として設けられ、被検車両Ｂが該被検車両下部監視カメラ３２の上方を通過する間に該被検車両Ｂの下部を撮影し、被検車両Ｂの下部画像を静止画として生成して出力する。
【００６６】
この被検車両下部監視カメラ３２は、例えば、敷設可能な可搬型のもので、非使用時には検査ユニット１６のカメラ収納部４４に収納されて固定され、一方、使用時にはカメラ収納部４４から移動式検査用車両１０の外部へと取り出される。なお、被検車両下部監視カメラ３２は、複数の撮像部を備えてもよく、広角の撮像部を一つだけ備えてもよい。
【００６７】
また、被検車両下部監視カメラ３２は、例えば、図１及び図２に示されるように、移動式検査用車両１０の右側又は左側に配置され、且つ、該被検車両下部監視カメラ３２と入場制限区域７２との間に、少なくとも車両１台分のスペースを空けて配置される。なお、本実施の形態では、説明の便宜のため、被検車両下部監視カメラ３２の位置に対して入場制限区域７２の側、すなわち、移動式検査用車両１０の前方の側（矢印Ｃ方向）を車両検査領域６２とし、その反対側、すなわち、移動式検査用車両１０の後方の側（矢印Ｄ方向）を車両一時停止領域６４とする。
【００６８】
さらに、被検車両下部監視カメラ３２は、有線のコネクタ４６を有し、このコネクタ４６は、被検車両下部監視カメラ３２の使用時において、検査ユニット１６の左右の側面１６ａ及び１６ｂのそれぞれに設けられた一組のジョイントボックス４８及び５０のいずれか一方に接続される。
【００６９】
ジョイントボックス４８及び５０は、検査ユニット１６の配電盤及び監視用コンピュータ４０にも接続され、被検車両下部監視カメラ３２は、コネクタ４６及びジョイントボックス４８又は５０を介して配電盤から電源供給を受けると共に、撮影した被検車両Ｂの下部画像を監視用コンピュータ４０へと出力することができる。
【００７０】
カメラ収納部４４は、検査ユニット１６の内部において発電機収納部４２と対向する側、例えば、左側面１６ａにおいて、発電機収納部４２と同様に配置される。そして、カメラ収納部４４は、移動式検査用車両１０の外部に向かって開口し、この開口部に対して移動式検査用車両１０の外部から開閉可能な蓋部材を備え、該蓋部材を開閉させることで被検車両下部監視カメラ３２の取り出し及び収納が車両外部から可能となる。
【００７１】
車内検査記録用カメラ３４は、例えば、荷物開披検査や、爆発物検査装置２８及び危険物所持検査装置３０による検査等の検査ユニット１６内で行われる検査、すなわち、車内検査の状況を撮影し、車内検査状況画像を静止画又は動画として生成して出力する。また、車内検査記録用カメラ３４は、有線又は無線により監視用コンピュータ４０に接続され、車内検査状況画像を前記監視用コンピュータ４０へと出力する。
【００７２】
また、車内検査記録用カメラ３４は、車内検査の状況を検査毎又は全体的に撮影できる位置に配置され、例えば、検査ユニット１６の内部全体を前方から撮影できるように検査ユニット１６内の右前上部に固定されてもよいし（図１及び図２参照）、左前上部に固定されてもよい。
【００７３】
一方、車外検査記録用カメラ３６は、被検車両Ｂの内部検査及び被検車両Ｂの下部検査等の検査ユニット１６の外部で行われる検査、すなわち、車外検査の状況を撮影し、その車外検査状況画像を静止画又は動画として生成して出力する。また、車外検査記録用カメラ３６は、有線又は無線により監視用コンピュータ４０に接続され、車外検査状況画像を前記監視用コンピュータ４０へと出力する。
【００７４】
また、車外検査記録用カメラ３６は、車外検査の状況を検査毎又は全体的に撮影できる位置に配置され、例えば、車両一時停止領域６４、被検車両下部監視カメラ３２及び車両検査領域６２を全て前方から撮影できるように、車両検査領域６２よりも入場制限区域７２に近い場所に配置される。
【００７５】
この車外検査記録用カメラ３６は、例えば、可搬型で、非使用時には検査ユニット１６のカメラ収納部４４に収納され、一方、使用時にはカメラ収納部４４から移動式検査用車両１０の外部へと取り出される。車外検査記録用カメラ３６は、内部に内蔵した電池から電力供給を受けるようにしてもよいし、有線を介して検査ユニット１６の配電盤から電力供給を受けるようにしてもよい。
【００７６】
発電機３８は、例えば、荷物検査台２６等の各検査機器及び被検車両下部監視カメラ３２等の各カメラを作動させるために必要な電力を発生し、検査ユニット１６内の配電盤に供給するものであり、各検査機器及び各カメラはその配電盤に接続して所望の電力供給を受けることができる。また、発電機３８は、上述した既存の検査機器等の設備に拘らず、新たな検査機器を導入することができる程度に余裕を持った電力供給能力を有するとよい。
【００７７】
この発電機３８は、例えば、可搬型で、非使用時には検査ユニット１６の発電機収納部４２（図４参照）に収納されて固定され、また、使用時には発電機収納部４２から取り出され、移動式検査用車両１０の外部において車外検査を妨げることのない所定の位置に配置される。例えば、図１及び図２に示されるように、被検車両下部監視カメラ３２が移動式検査用車両１０の左側に配置される場合には、発電機３８は、その反対側である右側に配置される。
【００７８】
監視用コンピュータ４０は、例えば、パーソナルコンピュータ（ＰＣ）等からなり、検査ユニット１６内に備えられた検査員又は監視員用の作業机上に備えられる。この監視用コンピュータ４０は、車内検査及び車外検査について、部分的に又は全体的に制御、管理及び監視を行うもので、例えば、様々な機能を有する複合システムとして構成されてもよい。
【００７９】
また、監視用コンピュータ４０は、被検車両下部監視カメラ３２と共に車両下部監視システムとして機能し、該被検車両下部監視カメラ３２を制御することで、被検車両Ｂの下部の静止画を撮影させ、撮影した被検車両Ｂの下部画像を取り込むことができる。
【００８０】
さらに、監視用コンピュータ４０は、車内検査記録用カメラ３４及び車外検査記録用カメラ３６、並びに所定の通信網及び遠隔地の監視センターと共に遠隔監視システムとして機能し、該車内検査記録用カメラ３４及び該車外検査記録用カメラ３６を制御することで、車内検査及び車外検査の状況の画像を撮影させ、車内検査状況画像及び車外検査状況画像を取り込んで録画すると共に、これらの画像を移動体通信網等の所定の通信網を介して遠隔地の監視センターに送ることができる。
【００８１】
本発明の実施の形態に係る移動式検査用車両１０は、基本的には以上のように構成されるものであり、次にその動作並びに作用効果について図１及び図２を参照しながら説明する。
【００８２】
先ず、入場制限を実施する場所又は施設において、入場者及び入場車両の保安検査を行う検査設備がない場合、又は既存の検査設備が故障等により使用不能になった場合に、移動式検査用車両１０を運転して該場所又は施設へと移動し、入場制限区域７２の外側に設けられた検査スペースへと駐車する。
【００８３】
なお、以下の説明においては、入場者及び入場車両の両方を被検者Ａ及び被検車両Ｂとして保安検査を実施し、移動式検査用車両１０の左側で車外検査を行うものとして説明する。
【００８４】
具体的には、入場制限区域７２の外側において入場ゲート７４の正面に被検車両Ｂの検査を実施するスペースを確保し、この車外検査スペースから入場ゲート７４へと向かう方向を検査進行方向（矢印Ｃ方向）とし、車外検査スペースの右側において移動式検査用車両１０を前向き（矢印Ｃ方向）に駐車する。このとき、移動式検査用車両１０のエンジンによる動力により防振用アウトリガー１８を作動させることで、該移動式検査用車両１０を上昇させると共に安定的に支持し、タイヤ１３及び１５を地面から浮かせて架台１４及び検査ユニット１６を固定し、該移動式検査用車両１０のエンジンを停止する。これにより、移動式検査用車両１０のサスペンション及びエンジンによる揺れによる、検査への影響が回避される。
【００８５】
次に、保安検査を実施する検査員（図示せず）、又は、移動式検査用車両１０の操作者（図示せず）が、保安検査の準備を開始する。この準備では、入口ドア２０及び左側の出口ドア２２の開放、発電機３８の発電機収納部４２からの取り出し、設置及び始動、被検車両下部監視カメラ３２及び車外検査記録用カメラ３６のカメラ収納部４４からの取り出し及び設置、被検車両下部監視カメラ３２のコネクタ４６のジョイントボックス４８への接続等が行われる。
【００８６】
さらに、図示しない検査員又は操作者は、配電盤を操作して荷物検査台２６等の各検査機器及び被検車両下部監視カメラ３２等の各カメラに対する電力供給を可能な状態にしてから、各検査機器、各カメラ及び監視用コンピュータ４０の起動を行う。
【００８７】
保安検査の準備が終了すると、検査員及び操作者は、保安検査の実施に必要な位置に配置され、保安検査が開始される。
【００８８】
先ず、保安検査では、入場制限区域７２に入場しようとする被検車両Ｂは、被検車両下部監視カメラ３２の手前となる車両一時停止領域６４に達すると、ここに配置されてすり抜けを監視している検査員や、一時停止を促す標識その他の機器の指示に従って一時停止することになる。被検者Ａである運転手及び同乗者は、検査員によって、降車を促され、入口ドア２０から検査ユニット１６内に入って入場検査を受けるように案内される。
【００８９】
次に、被検者Ａは、検査ユニット１６の検査室６６に入室すると、入口ドア２０付近に配置された検査員によって、身分証明（ＩＤ）チェックを受け、また被検者Ａの荷物は、荷物開披検査及び爆発物検査装置２８による検査を受けて荷物検査台２６によって前方（矢印Ｃ方向）へと搬送される。また、被検者Ａは、危険物所持検査装置３０付近に配置された検査員によって、危険物所持検査装置３０を使用した危険物所持検査を受け、その後、出口ドア２２を通って検査室６６から退室する。
【００９０】
検査室６６内におけるこれらの検査状況は車内検査記録用カメラ３４によって撮影されていて、その車内検査状況画像は、監視用コンピュータ４０によって録画されると同時に、移動体通信網を介して遠隔地の監視センターに送られる。そのため、監視用コンピュータ４０を使用している検査員及び監視センターにおける監視員によって検査状況が常時確認されることになる。
【００９１】
また、被検者Ａは、自身が乗車して来た車両であって、車両一時停止領域６４に一時停止している被検車両Ｂを運転して、被検車両下部監視カメラ３２上を通過させて車両検査領域６２へと移動させる。このとき、被検車両下部監視カメラ３２によって被検車両Ｂの下部が撮影されて、被検車両Ｂの下部画像が監視用コンピュータ４０に送られ、検査員によって確認される。
【００９２】
被検車両Ｂは、車両検査領域６２において、被検者Ａの立会いの下で検査員によって内部検査を受ける。被検車両Ｂが車両一時停止領域６４に達してから車両検査領域６２にて内部検査が終了するまでの車外検査は、車外検査記録用カメラ３６によって撮影されており、その車外検査状況画像は、監視用コンピュータ４０によって録画されると同時に、監視用コンピュータ４０を利用した遠隔監視システムによって移動体通信網を介して遠隔地の監視センターに送られる。そのため、監視用コンピュータ４０を使用している検査員及び監視センターにおける監視員によって検査状況が常時確認されることになる。
【００９３】
上述した検査の結果、被検者Ａ及び被検車両Ｂの両方に異常がなければ、検査員が入場制限区域７２の入場ゲート７４を一時的に開放し、前記被検者Ａはその被検車両Ｂに乗車して入場制限区域７２に入場することができる。
【００９４】
上述した本実施の形態においては、検査ユニット１６内における被検者Ａに対する車内検査の後で、検査ユニット１６の外部における被検車両Ｂに対する車外検査を行う場合について説明したが、車内検査及び車外検査の順は、これに限定されず、車外検査の後で車内検査を行うこととしてもよい。
【００９５】
また、上述した本実施の形態においては、荷物検査台２６、爆発物検査装置２８、危険物所持検査装置３０、被検車両下部監視カメラ３２、車内検査記録用カメラ３４及び車外検査記録用カメラ３６を備えた検査ユニット１６について説明したが、これに限定されるものではなく、液体物検査装置やＸ線検査装置等の他の検査機器を追加して検査ユニット１６に搭載してもよい。
【００９６】
例えば、液体物検査装置を、荷物検査台２６上の爆発物検査装置２８の隣に配置し、小型のＸ線検査装置を、カメラ収納部４４の外枠を利用した台に対して配置し、これらの装置を用いた検査を被検者Ａに対して行うことにより、より高度の保安検査を行うこともできる。
【００９７】
また、危険物所持検査装置３０として門型金属探知機を使用するだけでなく、手持ち型の金属探知機を検査ユニット１６内に配備することにより、門型金属探知機によって金属物所持が検知された被検者Ａに対して、手持ち型の金属探知機を用いた詳細な検査をすることもできる。
【００９８】
さらに、検査ユニット１６は、検査中に発生した異常事態を監視センターに通報する通報装置を備えてもよい。この通報装置は、例えば、車内検査記録用カメラ３４及び車外検査記録用カメラ３６の撮影した画像に基づいて検査中の異常事態を検知することができ、検知した異常事態を監視センターに通報する。これにより、監視センターでは、検査状況を確認し、また、警察等に更なる通報を行うことができる。通報装置は、独立した機器として備えられてもよいが、監視用コンピュータ４０に内蔵されて備えられてもよい。
【００９９】
このように、要求される検査レベルに応じて、多岐にわたり検査機器及びカメラを選択的に検査ユニット１６に備えることにより、ユーザの要望に応じて様々な移動式検査用車両１０を提供することもできる。
【０１００】
また、上述した本実施の形態においては、発電機３８で生成した電力を荷物検査台２６等の各検査機器及び被検車両下部監視カメラ３２等の各カメラに供給する場合について説明したが、これに限定されるものではなく、検査機器等への電力供給源を発電機３８と移動式検査用車両１０におけるエンジンの動力とで切り替え可能にし、その切り替えスイッチを配電盤に配置して構成してもよい。この構成により、通常は、発電機３８を電力供給源として使用し、前記発電機３８からの電力供給不能時等の緊急時には、移動式検査用車両１０の動力を電力供給源として使用することができる。
【０１０１】
この場合、移動式検査用車両１０の車両動力使用の際に、移動式検査用車両１０のエンジンの振動が検査ユニット１６内の検査機器に対して与える影響を抑えるために、防振素材を爆発物検査装置２８及び危険物所持検査装置３０等の検査機器の底面に設置したり、検査ユニット１６の床面全体に設置したりするとよい。
【０１０２】
また、上述した本実施の形態においては、発電機収納部４２及びカメラ収納部４４に対して発電機３８、被検車両下部監視カメラ３２及び車外検査記録用カメラ３６を収納する場合について説明したが、発電機収納部４２及びカメラ収納部４４は、検査ユニット１６内に備えられる空調設備の室外機や手持ち型の金属探知機、その他の機器を収納してもよい。
【０１０３】
以上のように、本実施の形態では、移動式検査用車両１０は、被検者Ａ及び被検車両Ｂの保安検査を所望する場所まで移動することができ、荷物検査台２６、爆発物検査装置２８及び危険物所持検査装置３０等の検査機器が、検査ユニット１６内において被検者Ａの検査動線を一方向のみにするように配置されている。そのため、この移動式検査用車両１０を１台用意するだけで、車両到着後、速やかに被検者Ａ及び被検車両Ｂに対する高度な保安検査が実施可能な状態となるので、検査体制の準備に要する時間を短縮すると共に、検査手法を制限することなく適切な検査体制を整え、高度な保安検査を実施することができる。また、この移動式検査用車両１０は、建物内に検査スペースを確保できない既存の場所又は施設でも、その建物外で即座に高度な保安検査体制を整えることができる。
【０１０４】
また、入口ドア２０を検査ユニット１６の背面に設けると共に、出口ドア２２及び２４を検査ユニット１６の左側面１６ａ及び右側面１６ｂのそれぞれに設けているため、保安検査を行う場所又は施設に応じて出口ドア２２及び２４のいずれか一方を選択することで所望の検査動線を確保することができ、すなわち、検査動線の確保時に支障が生じない。
【０１０５】
さらに、荷物検査台２６等の各検査機器の電力供給源として、検査ユニット１６に備えられた可搬型の発電機３８を用いるので、車両動力による発電のために移動式検査用車両１０のエンジンを作動させる必要がなく、エンジンの振動が検査ユニット１６内の検査機器に対して与える影響を回避することができる。
【０１０６】
なお、荷物検査台２６等の各検査機器の電力供給源として、発電機３８と移動式検査用車両１０の車両動力とを切り替え可能にすると共に、爆発物検査装置２８及び危険物所持検査装置３０の底面に防振素材を設置してもよく、これにより、発電機３８からの電力供給不能等の緊急時においても、車両動力を使用することにより検査体制を維持することができる。
【０１０７】
また、検査ユニット１６の左側面１６ａ及び右側面１６ｂに備えられた一組のジョイントボックス４８及び５０のいずれか一方を選択して被検車両下部監視カメラ３２を接続することができるので、移動式検査用車両１０の左右のいずれにおいても被検車両下部監視カメラ３２を容易に配置することができ、すなわち、移動式検査用車両１０の左右のいずれにおいても車外検査のためのスペースを容易に確保することができる。
【０１０８】
なお、本発明に係る移動式検査用車両及びその検査方法は、上述の実施の形態に限らず、本発明の要旨を逸脱することなく、種々の構成を採り得ることはもちろんである。
【符号の説明】
【０１０９】
１０…移動式検査用車両              １２…運転席部
１４…架台                          １６…検査ユニット
１８…防振用アウトリガー            ２０…入口ドア
２２、２４…出口ドア                ２６…荷物検査台
２８…爆発物検査装置                ３０…危険物所持検査装置
３２…被検車両下部監視カメラ        ３４…車内検査記録用カメラ
３６…車外検査記録用カメラ          ３８…発電機
４０…監視用コンピュータ            ４２…発電機収納部
４４…カメラ収納部                  ４６…コネクタ
４８、５０…ジョイントボックス      ５２、５６…引出階段
５４、５８…電動天幕
【図１】
0005813520.tif 000002
【図２】
0005813520.tif 000003
【図３】
0005813520.tif 000004
【図４】
0005813520.tif 000005